(57)【要約】【課題】ＣＤの曲をＣＤＤＢの曲情報を取り込みながらＨＤＤに記録するとき、ＣＤＤＢのデータ形式が必ずしも統一されていないので、同一のアーティストにも関わらず複数のアーティストが存在するように管理されてしまうことがある。【解決手段】ＣＤプレーヤ１３のＣＤのＴＯＣ情報からＣＤ情報を取り込み、ＣＤＤＢ検索・読込部３３でＨＤ１５に記録されているＣＤＤＢを検索して当該ＣＤの曲情報を読み込む。アーティスト名についてはアーティスト名データ形式統一部３４において、文字変換部３６では全角ローマ字或いは半角ローマ字のいずれかに変換してデータ形式を統一する。また、アーティスト別ホルダ作成式文字変換部３７では、ＨＤに既に収録されているアーティストの名称の付いたホルダ４４を作成して表示し、或いは新規にホルダを作成し、ＣＤのアーティストに対応するホルダを選んで曲情報等のデータを入力し、ＨＤに記録する。【選択図】        図１
2005044434.tif 000002
【特許請求の範囲】
【請求項１】
ＣＤを再生するＣＤプレーヤと、
ＣＤのオーディオデータを記録し再生可能な記録媒体と、
ＣＤプレーヤで再生し前記記録媒体に記録するＣＤ固有の情報を取り込むＣＤ情報取込手段と、
前記ＣＤ情報取込手段で取り込んだＣＤ固有の情報により複数のＣＤの曲情報を記録したデータベースから該ＣＤの曲情報を検索する曲情報検索手段と、
データベースで検索した曲情報のデータ形式を統一するデータ形式統一手段と、
前記データ形式統一手段で統一した曲情報を、前記ＣＤプレーヤで再生するＣＤのオーディオデータと関連して前記記録媒体に記録するデータ記録手段とを備えたことを特徴とするオーディオ記録再生装置。
【請求項２】
前記ＣＤのオーディオデータを記録し再生可能な記録媒体はハードディスクであることを特徴とする請求項１記載のオーディオ記録再生装置。
【請求項３】
前記データ形式統一手段で統一する曲情報はアーティスト
名であることを特徴とする請求項１記載のオーディオ記録再生装置。
【請求項４】
前記データ形式統一手段は、データベースの曲情報の文字形式を検出し、所定の文字形式に変換する文字変換手段であることを特徴とする請求項１記載のオーディオ記録再生装置。
【請求項５】
前記文字変換手段は、半角ローマ字または全角ローマ字のいずれかに変換するものであることを特徴とする請求項４記載のオーディオ記録再生装置。
【請求項６】
前記データ形式統一手段は、前記記録媒体に記録されているアーティスト別にホルダを作成するアーティスト別ホルダ作成手段と、
前記記録媒体に記録するＣＤのアーティストに対応するホルダを選択してデータを入力する手段とを備えたことを特徴とする請求項１記載のオーディオ記録再生装置。
【請求項７】
前記アーティスト別ホルダ作成手段は、前記記録媒体に記録するＣＤのアーティストのホルダが存在しないときには、ＣＤ固有の情報によりデータベースから該ＣＤのアーティスト名を取り込み、該アーティスト名のホルダを作成することを特徴とする請求項６記載のオーディオ記録再生装置。
【発明の詳細な説明】
【０００１】
【発明の属する技術分野】
本発明は、ＨＤ等に記録されているデータベースのデータを利用し、曲情報と共にＣＤの曲をＨＤに記録することができるオーディオ記録再生装置に関し、特に、データベースのアーティスト名が不統一な場合でも統一したアーティスト名で記録することができるようにしたオーディオ記録再生装置に関する。
【０００２】
【従来の技術】
データ記録媒体としてのハードディスク（以下「ＨＤ」という）は大容量化し、且つ安価になっているため、各種の装置においてこのＨＤに対してデータを記録し、それを読出すハードディスクドライブ（以下「ＨＤＤ」という）が用いられるようになっている。
【０００３】
近年はオーディオ装置においても上記ＨＤＤを搭載し、各種の曲をＭＰ３等の形式で圧縮して記録することが行われるようになっている。その際には特にＨＤの大容量の特性を生かして、各利用者が持っている多数のＣＤの曲をＨＤＤに記録し、記録した曲を任意に選択して再生し、利用することが行われる。
【０００４】
一方、オーディオ用ＣＤに記録されているデータは、オーディオデータ以外にそのＣＤに関する各種情報をリードイン領域のＴＯＣ（Ｔａｂｌｅ  ｏｆ  Ｃｏｎｔｅｎｔｓ）部分に記録しており、その中でも特定のサブチャンネルにＴＥＸＴデータによって曲情報も記録している。このサブチャンネルのＴＥＸＴデータ部分にアーティスト名、アルバム名、曲名等を各種の言語によって記録することが可能であるが、多くのＣＤでは必ずしも充分なデータが記録されていない。
【０００５】
しかしながら利用者の多くは現在再生している曲のアーティスト名、アルバム名、曲名等の情報を知りたいと思う。また、多量の曲を管理する際にアーティスト毎に検索を行い、また任意の再生曲の選択を行うに際してアーティスト名や曲名の情報は必須のものとなる。それに対してＣＤには上記のように必要なデータが存在しないことが多いため、利用者は例えばＣＤの曲をＭＤに録音し、或いはＨＤに記録するする際、アーティスト名、アルバム名、曲名等を手入力してプレーリストを作成し、その曲情報をオーディオデータに関連づけして記録し録音することが行われる。
【０００６】
このような利用者による手入力のプレーリスト作りは多くの手数を要し、面倒であるため、各ＣＤ固有の識別符号に対応して、アーティスト名、アルバム名、曲名等の曲情報をデータベース化し、ＣＤＤＢ（ＣＤ  Ｄａｔａ  Ｂａｓｅ）としてこれを蓄積している。このＣＤＤＢはデータを取り込んで表示するアプリケーションソフトによって作動し、Ｗｅｂの回線によってこのＣＤＤＢにアクセスし、利用できるようになっている。更に、近年のＨＤの大容量化により、このＣＤＤＢのデータを予めＨＤにダウンロードして記録しておき、Ｗｅｂの通信回線を利用することなくＣＤＤＢのデータを利用可能になっている。
【０００７】
そのため、ＣＤプレーヤでＣＤを再生するとき、自動的にＨＤＤを駆動してＣＤ情報からＣＤＤＢを検索し、そのＣＤに対応する曲情報を取り込み、これから再生するＣＤの曲情報をプレーリストとして自動的に表示し、ＣＤの再生に際しては再生中の曲の情報を表示部に表示することも可能となっている。また、ＨＤＤに接続したＣＤプレーヤによる再生出力によってＣＤのオーディオデータをＨＤに記録するとき、前記のように自動的にアーティスト名やアルバム名、或いは曲名入りのプレーリストを作成し、それらの曲情報と関連づけてオーディオデータをＨＤに記録することも可能となっている。更に、そのプレーヤに電話回線を接続し、ＨＤのＣＤＤＢを検索しても対応するＣＤＤＢが存在しないときにはＷｅｂによって最新のデータが蓄積されている前記ＣＤＤＢのデータベースにアクセスし、そこから曲情報を取り込むこともできる。
【０００８】
なお、ＣＤの曲をＨＤＤ内に蓄積するに際して、ＨＤＤ内に存在する大量の曲を適切に管理することにより、所望のアルバム或いはトラックを容易に検索することができるようにした技術として特開２００３−５０８１６号公報がある（特許文献１）。
【０００９】
【特許文献１】
特開２００３−５０８１６号公報
【００１０】
【発明が解決しようとする課題】
上記のようにＣＤＤＢは利用者にとって極めて便利なものであるが、そのデータはこのＣＤＤＢの利用者がＣＤＤＢにアクセスしたときデータが存在しない旨の回答があった場合等において、登録を行うか否かの選択画面で登録を選択したとき、その利用者がデータ入力して、ＣＤＤＢに新規データを登録することが可能である。また、その登録に際しては、例えばアーティスト名の記述に関して、半角文字、全角文字、カナ文字等の入力文字形式についての統一規格や規制が無いため、利用者の日頃の習慣による入力文字形式の選択によって、前記のような新規データの登録が行われることとなる。
【００１１】
ＣＤＤＢに登録されている文字はこのように必ずしも統一されていないため、ＣＤの曲をＣＤＤＢを用いて曲情報入りのプレーリストを作成し、オーディオデータをこの曲情報と共に記録するに際して、例えば図７（ａ）に示すように、アーティスト「Ｔｈｅ  Ｙｅｌｌｏｗ  Ｍｏｎｋｅｙ」に対して、１．「ＳＩＣＫＳ」、２．「ＴＲＩＡＤ  ＹＥＡＲＳ  ａｃｔ  １」、３．「８」のアルバムが存在するとき、本来はこのようにアーティスト名が「Ｔｈｅ  Ｙｅｌｌｏｗ  Ｍｏｎｋｅｙ」と統一的に記録されているデータが存在し、それにより同図（ｂ）に示すように１人のアーティストである「Ｔｈｅ  Ｙｅｌｌｏｗ  Ｍｏｎｋｅｙ」に対して「ＳＩＣＫＳ」、「ＴＲＩＡＤ  ＹＥＡＲＳ  ａｃｔ  １」、「８」のアルバムがＨＤに記録されている旨表示され、また内部処理がなされることとなる。
【００１２】
しかしながら、ＣＤＤＢに入力した人が異なる等により、そのＣＤＤＢのデータが例えば図７（ｃ）に示すように、１．「ＳＩＣＫＳ」、及び、３．「８」のアルバムのアーティスト情報については全角ローマ字の「Ｔｈｅ  Ｙｅｌｌｏｗ  Ｍｏｎｋｅｙ」として記録され、２．「ＴＲＩＡＤ  ＹＥＡＲＳ  ａｃｔ  １」のアルバムのアーティスト情報については半角ローマ字の「Ｔｈｅ  Ｙｅｌｌｏｗ  Ｍｏｎｋｅｙ」として記録されている場合には、作成されるプレーリストが同図（ｄ）に示すように、あたかもアーティスト１．として「Ｔｈｅ  Ｙｅｌｌｏｗ  Ｍｏｎｋｅｙ」が存在し、「ＳＩＣＫＳ」と「８」のアルバムが収録されており、他のアーティスト２．として「Ｔｈｅ  Ｙｅｌｌｏｗ  Ｍｏｎｋｅｙ」が存在し、「ＴＲＩＡＤ  ＹＥＡＲＳ  ａｃｔ  １」のアルバムが収録されているように、即ち１人のアーティストが２人のアーティストのようにプレーリストが作成され、内部処理がなされることとなる。
【００１３】
また、例えば図７（ｅ）に示すように、１．「ＳＩＣＫＳ」のアルバムのアーティスト情報については全角ローマ字の「Ｔｈｅ  Ｙｅｌｌｏｗ  Ｍｏｎｋｅｙ」として記録され、２．「ＴＲＩＡＤ  ＹＥＡＲＳ  ａｃｔ  １」のアルバムのアーティスト情報については半角ローマ字の「Ｔｈｅ  Ｙｅｌｌｏｗ  Ｍｏｎｋｅｙ」として記録され、３．「８」のアルバムのアーティスト情報については「ザ・イエローモンキー」と全角カタカナで記録されている場合には、作成されるプログラムリストが同図（ｆ）に示すように、あたかも、アーティスト１．として「Ｔｈｅ  Ｙｅｌｌｏｗ  Ｍｏｎｋｅｙ」が存在し、「ＳＩＣＫＳ」のアルバムが収録されており、他のアーティスト２．として「Ｔｈｅ  Ｙｅｌｌｏｗ  Ｍｏｎｋｅｙ」が存在し、「ＴＲＩＡＤ  ＹＥＡＲＳ  ａｃｔ  １」のアルバムが収録されており、更に他のアーティスト３．として「ザ・イエローモンキー」が存在し、「８」のアルバムが収録されているように、即ち１人のアーティストが３人のアーティストのようにプレーリストが作成され、内部処理がなされることとなる。
【００１４】
更に、例えば図７（ｇ）に示すように、１．「ＳＩＣＫＳ」のアルバムのアーティスト情報については全角で大小の文字が混ざった全角大小文字である「Ｔｈｅ  Ｙｅｌｌｏｗ  Ｍｏｎｋｅｙ」として記録され、２．「ＴＲＩＡＤ  ＹＥＡＲＳ  ａｃｔ  １」のアルバムのアーティスト情報については半角で大小の文字が混ざった半角大小文字である「Ｔｈｅ  Ｙｅｌｌｏｗ  Ｍｏｎｋｅｙ」として記録され、３．「８」のアルバムのアーティスト情報については半角で全てが大文字で記録されている半角大文字である「ＴＨＥ  ＹＥＬＬＯＷ  ＭＯＮＫＹ」として記録されている場合には、作成されるプログラムリストが同図（ｈ）に示すように、あたかも、アーティスト１．として「Ｔｈｅ  Ｙｅｌｌｏｗ  Ｍｏｎｋｅｙ」が存在し、「ＳＩＣＫＳ」のアルバムが収録されており、他のアーティスト２．として「Ｔｈｅ  Ｙｅｌｌｏｗ  Ｍｏｎｋｅｙ」が存在し、「ＴＲＩＡＤ  ＹＥＡＲＳ  ａｃｔ  １」のアルバムが収録されており、更に他のアーティスト３．として「ザ・イエローモンキー」が存在し、「８」のアルバムが収録されているように、即ちこの場合にも前記と同様に１人のアーティストが３人のアーティストのようにプレーリストが作成され、内部処理がなされることとなる。
【００１５】
このように、本来は１人のアーティストであるにも関わらずそのデータ入力形式の相違により、ＣＤＤＢにおいて例えば前記図７（ｅ）のように３人のアーティストが存在するように記録されており、そのＣＤＤＢのデータを用いてＣＤの曲を曲情報と共にＨＤに記録しているときには、ＨＤに記録されているアーティスト別のプレーリストを作成し表示させた場合には、前記図７（ｆ）のようなプレーリストが作成される。しかも、多数のアーティストの曲がＨＤに記録されているいるときには、このようにあたかも３人のアーティストが存在するように記録されているデータは、プレーリスト中において別の離れた部分に表示されることとなるため、同一のアーティストがバラバラになって記録されていることすらわからない状態となる。
【００１６】
そのため、利用者がＨＤに記録されている多くの曲の中からアーティストが「Ｔｈｅ  Ｙｅｌｌｏｗ  Ｍｏｎｋｅｙ」の曲を選択して聴きたいと思ったとき、これを検索すると「ＴＲＩＡＤ  ＹＥＡＲＳ  ａｃｔ  １」のアルバムのみが抽出され表示されるので、他のアルバムが記録されていることはわからず、このＨＤの中には種々の形式でアーティスト名が記録されていることに気がつかなければ、それらのアルバムの曲を聴くことすらできなくなってしまう。また、このように同じアーティストにも関わらずアーティスト名がバラバラのプレーリストが作成された場合には、これを見た利用者は統一感がないプレーリストをみて不快に感じ、また不信感を持つことともなる。なお、上記のような問題はＣＤの曲情報をデータベース化して現在利用可能となっている前記のようなＣＤＤＢに限らず、今後更に他の形態で曲情報をデータベース化しこれを前記と同様にそのデータを利用することが考えられ、そのようなデータベースの利用に際しても上記と同様の問題を生じる。
【００１７】
したがって本発明は、ＣＤの曲をＨＤ等の他のオーディオ記録媒体に対して記録するとき、データベースのデータを用いて曲情報を取り込み、オーディオデータと共に記録する際に、ＨＤＤ等のオーディオ記録媒体には統一した曲情報に変換して記録し、データベースの曲情報のデータ入力形式の相違に関わらず統一したデータによって管理をすることができるようにしたオーディオ記録再生装置を提供することを主たる目的とする。
【００１８】
【課題を解決するための手段】
本発明に係るオーディオ記録再生装置は、上記課題を解決するため、ＣＤを再生するＣＤプレーヤと、ＣＤのオーディオデータを記録し再生可能な記録媒体と、ＣＤプレーヤで再生し前記記録媒体に記録するＣＤ固有の情報を取り込むＣＤ情報取込手段と、前記ＣＤ情報取込手段で取り込んだＣＤ固有の情報により複数のＣＤの曲情報を記録したデータベースから該ＣＤの曲情報を検索する曲情報検索手段と、データベースで検索した曲情報のデータ形式を統一するデータ形式統一手段と、前記データ形式統一手段で統一した曲情報を、前記ＣＤプレーヤで再生するＣＤのオーディオデータと関連して前記記録媒体に記録するデータ記録手段とを備えたものである。
【００１９】
このように構成することにより、ＣＤの曲をＨＤ等の他のオーディオ記録媒体に対して記録するとき、ＨＤ等のオーディオ記録媒体には統一した曲情報に変換して記録することができ、データベースの曲情報のデータ入力形式の相違に関わらず統一したデータによって管理をすることができるため、従来のもののように例えば同じアーティストであるにもかかわらず複数のアーティストが存在するように表示され、管理されることを防止することができる。
【００２０】
また、本発明に係る他のオーディオ記録再生装置においては、前記オーディオ記録再生装置において、前記ＣＤのオーディオデータを記録し再生可能な記録媒体をハードディスクとしたものである。このように構成することにより、大容量の記録媒体であるハードディスクに大量のＣＤの曲を記録する場合でも、データベースの曲情報のデータ入力形式の相違に関わらず統一したデータを確実に得ることができる。
【００２１】
また、本発明に係る他のオーディオ記録再生装置においては、前記オーディオ記録再生装置において、前記データ形式統一手段で統一する曲情報をアーティスト名としたものである。このように構成することにより、大量の曲の管理において最も利用しやすいアーティスト名について、データベースのデータ入力形式の相違に関わらず統一したアーティスト名によって管理することができ、統一したデータを確実に得ることができる。
【００２２】
また、本発明に係る他のオーディオ記録再生装置においては、前記オーディオ記録再生装置において、前記データ形式統一手段を、ＣＤＤＢの曲情報の文字形式を検出し、所定の文字形式に変換する文字変換手段としたものである。このように構成することにより、曲情報の文字形式が相違していても統一した文字形式とすることができるので、同じ情報が文字形式の相違により複数存在するように取り扱われることを防止することができる。
【００２３】
また、本発明に係る他のオーディオ記録再生装置においては、前記オーディオ記録再生装置において、前記文字変換手段は、半角ローマ字または全角ローマ字のいずれかに変換するものである。このように構成することにより、曲情報として通常使用されている日本語及び英語について、全て統一した言語形式に容易に変換することが可能となる。
【００２４】
また、本発明に係る他のオーディオ記録再生装置においては、前記オーディオ記録再生装置において、前記データ形式統一手段は、前記記録媒体に記録されているアーティスト別にホルダを作成するアーティスト別ホルダ作成手段と、前記記録媒体に記録するＣＤのアーティストに対応するホルダを選択してデータを入力する手段とを備えたものである。このように構成することにより、前記記録媒体に最初に曲情報を記録するとき入力したデータ形式に全て統一して管理することができると共に、最初に曲情報を正確に記録することにより、その後はいかなる形式で同じ曲情報が存在しても全て正確な曲情報によって管理することが可能となる。
【００２５】
また、本発明に係る他のオーディオ記録再生装置においては、前記オーディオ記録再生装置において、前記アーティスト別ホルダ作成手段が、前記記録媒体に記録するＣＤのアーティストのホルダが存在しないときには、ＣＤ固有の情報によりデータベースから該ＣＤのアーティスト名を取り込み、該アーティスト名のホルダを作成するようにしたものである。このように構成することにより、、アーティストのホルダの作成に際して、データベースのデータを利用して自動的に作成することができる。
【００２６】
【発明の実施の形態】
本発明の実施の形態を図面に沿って説明する。図１は本発明によるオーディオ記録再生装置の機能ブロック図であり、特に本発明においてＣＤの曲をＨＤＤに記録する実施例において、ＣＤＤＢの利用部分の特徴的な機能を中心に示している。なお、この機能ブロック図において、各機能部は各機能を行う手段ということができる。
【００２７】
図１のオーディオ記録再生装置においては、システムコントローラ１１がメモリコントローラ２３で制御されるＲＯＭ２１のプログラム、及びＲＡＭ２２の利用によって所定の作動を行うことができ、システムコントローラは図中の各機能部に対して直接、或いは他の機能部を介して間接的に制御を行い、全体として所定の機能を行うようになっている。
【００２８】
このオーディオ記録再生装置においてはオーディオ出力手段として、ＡＭ放送、ＦＭ放送等のラジオを受信するラジオ受信機１２と、ＣＤを再生するＣＤプレーヤ１３と、内蔵するハードディスク１５に対して後述するようにＭＰＥＧエンコーダ２８でオーディオデータをＭＰ３形式で記録し、これを必要に応じてＭＰＥＧデコーダ２９で再生するＨＤＤ（ハードディスクドライブ）１４とを備えた例を示している。このＨＤＤで駆動されるＨＤ１５には、ＣＤ固有の識別データに対応してアーティスト名、アルバム名、曲名等の曲情報のデータを蓄積し、世界中共通に利用できるＣＤＤＢのデータをダウンロードして、ＨＤ１５内のＣＤＤＢ２０として記録している。
【００２９】
出力ソース切替部１６では、前記ラジオ受信機１２、ＣＤプレーヤ１３、ＨＤＤ１４の各オーディオソースを任意に選択し切り換えて出力し、オーディオ出力コントローラ１７でシステム制御部１１の制御により、音質、各スピーカでの音量、その出力タイミング等の調整による音場等の調整がなされ、複数のスピーカ１８から出力するようにしている。
【００３０】
図中のシステムコントローラ１１にはモニタ２４が接続し、オーディオの情報を表示することができるようになっており、また入力装置２５が接続し、リモコンや装置本体のキー等によって利用者の任意の指示信号を入力できるようにしている。
【００３１】
このオーディオ記録再生装置におけるＨＤＤ１４に対してＣＤプレーヤ１３で再生する曲のオーディオデータを記録するため、ＣＤ出力データ取込部２６を備え、ＣＤの曲をＨＤＤに記録する旨の利用者からの指示があったときには、システム制御部の指示によってＣＤプレーヤで再生されるＣＤのデータを取り込み、その再生データの内オーディオデータはオーディオデータ取込部２７でこれを取り込んでいる。また、ＣＤ出力データ取込部２６で取り込んだ再生中のＣＤのＴＯＣ情報をＴＯＣ情報取込部３１で取り込み、ここで取り込まれたＴＯＣ情報の中から特にＣＤ固有の識別情報を、ＣＤ情報取込部３２で選択して取り込んでいる。
【００３２】
ＣＤＤＢ検索・読込部３３においては、ＣＤ情報取込部３２で取り込んだ現在ＣＤプレーヤ１３で再生されているＣＤの個別の識別情報に基づき、予めＨＤ１５内に記録されているＣＤＤＢ２０のデータを検索する。このオーディオ記録再生装置にはアーティスト名データ形式統一部３４を備えており、図示の例においてはアーティスト名のデータ形式を統一するための手段として、アーティスト名の文字を直接変換する文字変換部３６と、後述するようにアーティスト別ホルダを作成してそのホルダにデータを入れる形式で文字の変換を行うアーティスト別ホルダ作成式文字変換部３７の２種類の機能部を備えており、そのいずれを利用するかを、データ形式統一機能選択部３５によって選択して作動させるようにしている。
【００３３】
また、アーティスト名の文字を直接変換する文字変換部３６には、図示実施例においては、アーティスト名の文字を全て全角ローマ字の文字に変換する全角ローマ字文字変換部４０と、全て半角ローマ字の文字に変換する半角ローマ字文字変換部４１とを備えている。文字変換部３６にはこれらの各文字変換部のいずれを利用するかを利用者によって予め選択しておく文字変換選択部３８を備えており、更に各文字変換部４０、４１において文字の変換を行うため、各々の変換部において変換用テーブル４９にアクセスできるようにしている。
【００３４】
アーティスト別ホルダ作成式文字変換部３７には、ＨＤ１５に既に記録されている曲についてのアーティスト名を取り込んで各アーティスト別にホルダを作成するアーティスト別ホルダ作成部４３を備え、図示の例では各アーティスト毎のホルダ４４を作成している。また、このアーティスト別ホルダ作成部４３においては、現在ＨＤＤに記録しようとしているＣＤのアーティストが未だＨＤＤ内に記録されていないと判別したときには、ＣＤＤＢのデータに基づいてこれから記録するアーティストのための新しいホルダを作成する。また、現在ＨＤＤに記録しようとしているＣＤのアーティストが未だＨＤＤに記録されておらず、且つＣＤＤＢにも存在しないときには、利用者の手入力によって新しいホルダにアーティスト名を入れて新規ホルダを作成する。
【００３５】
なお、図示実施例においては種々の態様に対応することができるように、前記のような各種の文字変換部等のデータ形式統一処理部を備えた例を示しているが、少なくともこれらの機能の内、いずれか一つの変換機能が存在すれば本発明を実施することができる。
【００３６】
プレーリスト作成部４７においては、アーティスト名データ形式統一部３４でアーティスト名が統一された情報を含むＣＤＤＢの曲情報を入力してプレーリストを作成する。ＭＰＥＧエンコーダ２８においては、前記のようにオーディオデータ取込部２７で取り込んだＣＤのオーディオデータと、プレーリスト作成部４７で作成されたプレーリストに基づく曲情報とを対応させて、ＭＰ３形式にデコードしＨＤ１５内に記録する。なお、前記オーディオデータ取込部２７及びプレーリスト作成部４７並びにＭＰＥＧエンコーダ２８は、前記データ形式統一手段で統一した曲情報を、前記ＣＤプレーヤで再生するＣＤのオーディオデータと関連して、前記記録媒体１５に記録するデータ記録手段ということができる。
【００３７】
図１に示すオーディオ記録再生装置においてはインターネット等のＷｅｂを利用した外部との通信機能を備え、ＣＤＤＢ検索・読込部３３で前記のようにＨＤ１５内に予め記録してあるＣＤＤＢ２０に、これから記録しようとするＣＤのデータが存在しないと判別したとき、Ｗｅｂ検索部４６によってＣＤＤＢデータ提供部門にアクセスし、最も新しいデータが蓄積されているＣＤＤＢデータベースから検索を行うことができるようにしている。
【００３８】
上記のような機能ブロックからなる本発明のオーディオ記録再生装置は、例えば図２〜図５に示す作動フローにしたがって順に作動させることができる。以下これらの作動フローを図１の機能ブロック図等を参照しつつ順に説明する。図２に示すＣＤからＨＤＤへの記録処理に際しては、最初利用者によってＣＤからＨＤＤへの記録指示が行われ（ステップＳ１）、その指示に基づいてＨＤＤに記録するＣＤの再生を行う（ステップＳ２）。ここでの再生はＣＤのリードイン領域に記録されているＴＯＣ情報を取り込むための再生であり、したがって次のステップＳ３においてこの再生期間中にＴＯＣからＣＤ固有の識別情報等のＣＤデータを取り込んでいる。
【００３９】
次いで、図示実施例においてはアーティスト別ホルダ作成式文字変換処理を最初に行うか否かの判別を行っている。即ち、図１に示すように本発明によるアーティスト名データ形式の統一処理は、大別して文字を直接変換する文字変換部３６による処理と、アーティスト別ホルダを作成することにより文字を変換するアーティスト別ホルダ作成式文字変換部３７による処理とが可能であるため、そのいずれを最初に行うかをここで選択している。この選択は、利用者がこのオーディオ記録再生装置の使用に際して予め機能設定しておくことにより、また特に機能設定を行わなかったときには製品出荷時に予めいずれかを選択しておくことにより、これらの設定を参照することによって行うことができる。
【００４０】
ステップＳ４においてアーティスト別ホルダ作成式文字変換処理を最初に行わないと判別したとき、即ちアーティストの文字を直接変換する方式を最初に行うと判別したときには、ＨＤのＣＤＤＢから、これから記録するＣＤの曲情報を検索する（ステップＳ５）。その検索に基づいて、記録するＣＤに対応するＣＤＤＢはＨＤ内に存在するか否かを判別する（ステップＳ６）。この判別の結果ＨＤ内に記録するＣＤに対応するＣＤＤＢが存在すると判別したときには、アーティスト名を半角ローマ字に統一するか否かを判別する（ステップＳ７）。この判別は予め利用者がこのオーディオ記録再生装置の使用に際して、いずれの処理を行うかの設定をしておくことにより行うことができる。
【００４１】
ステップＳ７の判別において、利用者が予め半角ローマ字に統一すると設定していたときにはステップＳ８に進み、ＨＤ内のＣＤＤＢに存在するＣＤの曲情報のアーティスト名の文字は、半角ローマ字以外の文字であるか否かを判別する。この判別においてＣＤＤＢのアーティスト名が半角ローマ字以外の文字であると判別したときには、半角ローマ字以外の文字を全て半角ローマ字に変換する。
【００４２】
この判別及び変換処理に際しては、例えば前記図７（ｃ）、（ｅ）に示されるように、半角ローマ字である「Ｔｈｅ  Ｙｅｌｌｏｗ  Ｍｏｎｋｅｙ」の文字以外に、「Ｔｈｅ  Ｙｅｌｌｏｗ  Ｍｏｎｋｅｙ」の全角ローマ字、「ザ・イエローモンキー」の全角カタカナの文字が使われているときには、これらを全て半角ローマ字の「Ｔｈｅ  Ｙｅｌｌｏｗ  Ｍｏｎｋｅｙ」に変換する処理を行うこととなる。
【００４３】
この処理は、アーティスト名データ形式統一部３４におけるデータ形式統一機能選択部３５が文字変換部３６の処理を行うように選択しているとき、文字変換選択部３８が半角ローマ字変換部４１の作動を選択することにより、半角ローマ字変換部４１において入力したＣＤＤＢのアーティスト名が半角ローマ字以外の文字であることを検出したときには、変換テーブル４９のデータを利用して全て半角ローマ字に変換することにより行うことができる。
【００４４】
一方、前記ステップＳ７においてアーティスト名を半角ローマ字に統一しないと判別したときにはステップＳ１０に進み、ＣＤＤＢのアーティスト名は全角ローマ字以外の文字であるか否かを判別する。この判別においてＣＤＤＢのアーティスト名は全角ローマ字以外の文字であると判別したときには、全角ローマ字以外の文字を全て全角ローマ字に変換する（ステップＳ１１）。
【００４５】
この判別及び変換処理に際しては、例えば前記図７（ｃ）、（ｅ）に示されるように、全角ローマ字である「Ｔｈｅ  Ｙｅｌｌｏｗ  Ｍｏｎｋｅｙ」の文字以外に、「Ｔｈｅ  Ｙｅｌｌｏｗ  Ｍｏｎｋｅｙ」の半角ローマ字、「ザ・イエローモンキー」の全角カタカナの文字が使われているときには、これらを全て全角ローマ字の「ＴｈｅＹｅｌｌｏｗ  Ｍｏｎｋｅｙ」に変換する処理を行うこととなる。
【００４６】
この処理は、前記半角ローマ字への変換処理と同様に、全角ローマ字変換部４０において、入力したＣＤＤＢのアーティスト名は全角ローマ字以外の文字であることを検出したときには、変換テーブル４９のデータを利用して全て全角ローマ字に変換することにより行うことができる。
【００４７】
ステップＳ７でアーティスト名を半角ローマ字に変換すると設定されていることが判別され、ステップＳ９において半角ローマ字以外の文字を全て半角ローマ字に変換したとき、及びステップＳ８でＣＤＤＢのアーティスト名は半角ローマ字であると判別したとき、及びステップＳ７でアーティスト名を全角ローマ字に変換すると設定されていることが判別され、ステップＳ１１において全角ローマ字以外の文字を全て全角ローマ字に変換したとき、及びステップＳ１０でＣＤＤＢのアーティスト名は全角ローマ字であると判別したときの各々の処理の後は、いずれもステップＳ１２に進み、半角ローマ字或いは全角ローマ字のいずれかに文字を統一したアーティスト名に対して曲情報を自動的に付加してプレーリストを作成する。
【００４８】
この処理は、図１のプレーリスト作成部４７において、アーティスト名データ形式統一部３４が入力したＣＤＤＢのデータの内アーティスト名を統一する処理を行った後のＣＤＤＢデータを入力し、例えば図７（ｂ）に示すようなプレーリストを作成することにより行うことができる。このようにしてアーティスト名が統一されたプレーリストに基づき、ＣＤのオーディオデータを取り込んでプレーリストの曲情報と関連づけ、ＨＤＤに対してＭＰ３等のデータ形式で出力し、ＨＤにこれを記録する処理を開始する（ステップＳ１３）。
【００４９】
前記ステップＳ６においてＨＤＤに記録しようとしているＣＤに対応するＣＤＤＢがＨＤに存在しないと判別したときには、ＷｅｂによってＣＤＤＢデータベースにアクセスし、そのＣＤＤＢのデータを検索する処理を行うか否かを判別する（ステップＳ１５）。図１に示すオーディオ記録再生装置においては通信機能を備えたＷｅｂ検索部４６を備えており、ここでＷｅｂによってＣＤＤＢにアクセスすると判別したときには、後述するような図３に示すＷｅｂのＣＤＤＢを用いた文字変換処理を行う（ステップＳ１６）。
【００５０】
ステップＳ１５におけるＷｅｂによりＣＤＤＢのデータベースから検索を行うか否かの判別は、このオーディオ記録再生装置に通信機能を備え、ＣＤＤＢにアクセスすることができるように設定されているか否かを検出し、アクセスすることができるように設定されていると判別されたときにおいて、前記ステップＳ６で記録するＣＤに対応するＣＤＤＢがＨＤに存在しないと判別したとき、モニタにＷｅｂによりＣＤＤＢにアクセスして現在記録しようとしているＣＤのＣＤＤＢの検索を行うか否かを問い合わせる表示を行い、利用者が検索を行う旨の指示入力を行うことにより、ＷｅｂのＣＤＤＢを用いた文字変換処理が行われる。
【００５１】
また、前記ステップＳ１５において、例えばこのオーディオ記録再生装置に通信機能を備えておらずＷｅｂのＣＤＤＢにアクセスできないとき、或いはアクセスすることができ前記ステップＳ６で記録するＣＤに対応するＣＤＤＢがＨＤに存在しないと判別したときでも、ＷｅｂによってＣＤＤＢの検索を行うか否かを問い合わせる表示において、利用者がＷｅｂを利用しない旨の入力を行ったときには、図３に示すようなＷｅｂのＣＤＤＢを用いた文字変換処理におけるステップＳ３０に進む（ステップＳ１７）。
【００５２】
また、前記ステップＳ４において、アーティスト別ホルダ作成式文字変換処理を最初に行うと判別したときには、後述するような図４に示すアーティスト別ホルダ作成式文字変換・記録処理を行う（ステップＳ１４）。
【００５３】
図２におけるステップＳ１６のＷｅｂのＣＤＤＢを用いた文字変換処理、及び後述するような図４に示すアーティスト別ホルダ作成式文字変換・録音処理における途中のステップであるステップＳ５０のＷｅｂのＣＤＤＢを用いた文字変換処理は、一部相違する点はあるもののいずれも図３に示す一連の作動によって処理を行うことができる。
【００５４】
図３のＷｅｂのＣＤＤＢを用いた文字変換処理に際しては、最初通信装置を起動してＷｅｂ上でＣＤＤＢデータサービスを行っているＵＲＬにアクセスする（ステップＳ２１）。次いで、現在ＨＤＤに記録しようとしているＣＤのＣＤＤＢがそのＣＤＤＢデータベースにあるか否かを判別する（ステップＳ２２）。その結果存在すると判別したときには、記録するＣＤのＣＤＤＢの取り込みを行う（ステップＳ２３）。
【００５５】
この取り込み処理の終了後、Ｗｅｂへの接続を解除し（ステップＳ２４）、次いで現在の処理がアーティスト別ホルダ作成式文字変換処理中のものであるか否かを判別する。即ち、図３に示す処理は前記のように図２のステップＳ１６から継続して行われる処理と、図４のステップＳ４８から継続して行われる処理とが存在し、図２からの処理はステップＳ４においてアーティスト別ホルダ作成式文字変換処理を最初に行わないと判別したときに行う処理であるため、前記ステップＳ２５においてはアーティスト別ホルダ作成式文字変換処理中ではないと判別され、その後は図２のステップＳ７に進む（ステップＳ２６）。
【００５６】
前記ステップＳ２６において図２のステップＳ７に進んだ後は、前記のようにＨＤ中に記録されているＣＤＤＢのデータベースにＣＤのデータが存在したときと同様の作動を行い、Ｗｅｂから取り込んだＣＤＤＢの曲情報におけるアーティスト名を半角ローマ字に統一するか全角ローマ字に変換するかの選択、及び不統一となるデータを変換してデータを統一する処理を行うこととなるので、その説明は省略する。なお、ステップＳ２５においてアーティスト別ホルダ作成式文字変換処理中であると判別したときには、図４に示す処理中であるので後述するような図４のステップＳ４５に進む（ステップＳ２７）。
【００５７】
一方、前記ステップＳ２２において、記録するＣＤのＣＤＤＢがＷｅｂのＣＤＤＢデータベース中に存在しないと判別したときには、前記ステップＳ２５と同様にアーティスト別ホルダ作成式文字変換処理中であるか否か、即ち図４から継続している処理中であるか否かの判別を行い（ステップＳ２８）、図４に示す処理中ではなく図２に示す処理中であると判別したときには、後述するように図５に示すような、ＣＤＤＢが得られないときのアーティスト別ホルダ作成式文字変換・記録処理を行う。また、ステップＳ２８においてアーティスト別ホルダ作成式文字変換処理中、即ち図４から継続している処理中であると判別したときには、その後は図４の説明において述べるような処理が行われる。
【００５８】
図２のステップＳ４においてアーティスト別ホルダ作成式文字変換処理を最初に行うと判別したときには、図４に示すようなアーティスト別ホルダ作成式文字変換・記録処理がなされる。その作動に際しては、最初ＨＤに記録されているアーティスト別のホルダを作成し、これを表示する処理がなされる（ステップＳ４１）。この処理は図１におけるアーティスト名データ形式統一部３４におけるデータ形式統一機能選択部３５が、アーティスト別ホルダ作成式文字変換部３７の機能を選択している状態において、アーティスト別ホルダ作成部４３がＨＤ１５内にオーディオデータが記録されている曲の曲情報に基づき、記録されている曲の全てのアーティスト名に対応するホルダを作成することにより行われる。
【００５９】
図６は前記アーティスト別ホルダ作成式文字変換処理について説明した図であり、同図においては、ＨＤ５１内に既に「ＲＥＤ  ＷＩＭＰＳ」５２と「ＢＯＮＯＢＯＳ」５３の２人の曲が記録されており、そのため図６においてはＨＤ５１に各アーティストのホルダが形成されている状態を示している。また、このＨＤ５１にはＣＤＤＢ５４が予め記録されている。
【００６０】
なお、このアーティスト別のホルダには、通常のパソコンのデータ管理等で使用されるホルダと同様に、利用者がカーソル等で特定のアーティスト名の付されたホルダを指示するとき、その指示したホルダに対して曲情報を入力しオーディオデータを関連づけて入力可能とする機能を備えている。したがって、このような機能が行われるならば、必ずしもパソコンのホルダ形式で表示される必要はなく、アーティスト名が列挙された表形式で表示することもできる。
【００６１】
次いで、記録するアーティストのホルダは存在するか否かの判別を行う（ステップＳ４２）。図６に示す例においては、アーティスト名が「Ｔｈｅ  Ｙｅｌｌｏｗ  Ｍｏｎｋｅｙ」であるＣＤ５６をＨＤ５１内に記録する例を示しており、前記ステップＳ４１でＨＤ内にオーディオが記録されているアーティスト名がモニタに表示されているので、利用者がそのモニタにこれからＨＤに記録しようとしてＣＤのアーティストである「Ｔｈｅ  Ｙｅｌｌｏｗ  Ｍｏｎｋｅｙ」に対応するホルダが存在するか否かを目視により検索する。その目視による検索の結果、図６に示す例においては、このときには未だ「Ｔｈｅ  Ｙｅｌｌｏｗ  Ｍｏｎｋｅｙ」に対応するホルダが存在しないと判別されることとなる。
【００６２】
なお、この目視による検索において、例えば「ザ・イエローモンキー」のようなホルダが既に存在するときには、これからデータを記録しようとするＣＤの「Ｔｈｅ  Ｙｅｌｌｏｗ  Ｍｏｎｋｅｙ」は、利用者の経験等により「ザ・イエローモンキー」と同一のものであると判断することとなる。
【００６３】
前記ステップＳ４２において記録するアーティストのホルダは存在しないと判別したときには、ＨＤのＣＤＤＢの中から記録するＣＤの情報を検索する（ステップＳ４３）。次いで記録するＣＤに対応するＣＤＤＢは存在するか否かの判別を行い（ステップＳ４４）、存在するときにはＣＤＤＢのアーティスト名によりホルダを自動的に作成する（ステップＳ４５）。
【００６４】
前記ステップＳ４４において記録するＣＤに対応するＣＤＤＢが存在しないと判別したときには、ＷｅｂによりＣＤＤＢのデータベースにアクセスして検索を行うか否かを判別し（ステップＳ４６）、そのような検索を行う機能が存在しないか、或いは行うことを希望しないと判別したときには、記録するＣＤのアーティスト名を手入力し、そのアーティストのホルダを新規に作成する。図６に示す例においては、利用者はその際に「Ｔｈｅ  Ｙｅｌｌｏｗ  Ｍｏｎｋｅｙ」、「Ｔｈｅ  Ｙｅｌｌｏｗ  Ｍｏｎｋｅｙ」、「ザ・イエローモンキー」等の任意の形式で入力しても構わない。
【００６５】
前記ステップＳ４８においてＷｅｂによりＣＤＤＢのデータベースにアクセスして検索を行うと判別したときには、前記図３に示すようなＷｅｂのＣＤＤＢを用いた文字変換処理を行う。このようにステップＳ４４から継続してなされる未だアーティストのホルダが形成されていない状態での処理に際しては、図３において、ＷｅｂによりＣＤＤＢデータベースへアクセスし（ステップＳ２１）、記録するＣＤのＣＤＤＢは存在するか否かを判別し（ステップＳ２２）、存在するときはそのデータを取り込み（ステップＳ２３）、Ｗｅｂへの接続を解除した後（ステップＳ２４）、アーティスト別ホルダ作成式文字変換中であることにより（ステップＳ２５）、図４のステップＳ４５に進んで（ステップＳ２７）、ＣＤＤＢのアーティスト名によりホルダを自動作成する処理がなされ、以降の処理がなされる。
【００６６】
また、ステップＳ２２において記録するＣＤのＣＤＤＢがＨＤには存在しないと判別したときには、現在の処理においてはアーティスト別ホルダ作成式文字変換処理中であるので、その後図４に示すステップＳ４２における、ＨＤ中に記録するアーティストのホルダが存在するときの処理であるか否かの判別を行い、その処理ではないとき、即ち図４のステップＳ４４から一連で行われる処理である場合には、未だホルダが作成されていないので、図４のステップＳ４７と同様に、記録するＣＤのアーティスト名を手入力してホルダを新規に作成し（ステップＳ３０）、その後図４のステップＳ５３に進んで、手入力したホルダ名に統一したアーティスト名に対して、曲情報を入力してプレーリストを作成する。
【００６７】
一方、前記図４のステップＳ４２において、ＨＤ中に記録するアーティストのホルダは存在するか否かの判別に際して、存在すると判別したときには、ＨＤのＣＤＤＢから記録するＣＤの曲情報を検索する（ステップＳ４９）。その後記録するＣＤに対応するＣＤＤＢがあるか否かを判別し（ステップＳ５０）、存在しないときにはＷｅｂによってＣＤＤＢにアクセスして検索を行うか否かの判別を行い（ステップＳ５１）、検索を行うことができない、或いは検索を行いたくないと判別したときにはステップＳ５３に進んで、前記のようにホルダ名に文字を統一したアーティスト名に対して曲情報を手入力により入力してプレーリストを作成する。
【００６８】
また、前記ステップＳ５１においてＷｅｂによりＣＤＤＢのデータベースから検索を行うと判別したときには、前記と同様にＷｅｂのＣＤＤＢを用いた曲情報の取り込み処理を行い（ステップＳ５２）、その後いずれの場合もステップＳ５３に進んで、ＷｅｂからＣＤＤＢのデータベースにアクセスした結果ＣＤの曲情報が存在したときにはその情報を利用して、前記のようにしてホルダ名に文字を統一したアーティスト名に対して曲情報を入力してプレーリストを作成する。
【００６９】
また、前記ステップＳ５２においてＷｅｂからＣＤＤＢのデータベースにアクセスしてもＣＤの曲情報が得られなかった時、及び前記ステップＳ５１においてＷｅｂのＣＤＤＢから検索を行わないと判別したときには、ステップＳ５３において曲情報を手入力する方式で入力し、それにより前記のようにホルダ名に文字を統一したアーティスト名に対して曲情報を入力してプレーリストを作成する。
【００７０】
一方、前記ステップＳ５０において、記録するＣＤに対応するＣＤＤＢがＨＤ内にあると判別したときにはステップＳ５３に進み、ＣＤＤＢからＣＤの曲情報を自動取り込みして、前記のようにホルダ名に文字を統一したアーティスト名に対して曲情報を自動入力してプレーリストを作成する。このようにしてプレーリストが作成された後は、図２のステップＳ１３に進み（ステップＳ５４）、ＨＤＤへの記録を開始する。
【００７１】
前記図３のステップＳ２９において行われるＣＤＤＢが得られないときのアーティスト別ホルダ作成式文字変換・記録処理に際しては、図５に示すように、最初ＨＤにオーディオデータが記録されているアーティスト別ホルダを表示する（ステップＳ６１）。次いで記録するアーティストのホルダは存在するか否かの判別を利用者の目視によって行い（ステップＳ６２）、存在しないときには記録するＣＤのアーティスト名を手入力して新規ホルダを作成し、これを表示する（ステップＳ６３）。その後、前記ステップＳ６２において記録するアーティストのホルダは存在すると判別したときと共にステップＳ６４に進み、ホルダ名にアーティスト名を統一した状態で曲情報を手入力し、プレーリストを作成する。その後図２のステップＳ１３に進み、ＨＤＤへの記録を開始する。
【００７２】
上記のようなアーティスト別ホルダ作成式文字変換処理を行う結果、図６において、新設されたアーティスト名ホルダが作成されたＨＤ内データ例として示すように「Ｔｈｅ  Ｙｅｌｌｏｗ  Ｍｏｎｋｅｙ」６１のホルダが作成され、以降はこれが表示されることによってこのホルダに対して「Ｔｈｅ  Ｙｅｌｌｏｗ  Ｍｏｎｋｅｙ」のアーティストの曲を入れることができ、アーティスト名が統一されたプレーリストを作成することができる。
【００７３】
上記実施例においては、ＣＤの曲をＨＤＤに記録する例を示したが、ＨＤＤに限らず、例えばＭＤに記録する場合、或いはＣＤ−ＲやＣＤ−ＲＷに記録する場合、更にはＤＶＤに記録する場合等、各種の記録媒体に曲情報と共に記録する際には同様に使用することができる。また、ＣＤＤＢに記録されているデータが入力形式の相違により複数存在するように扱われる問題を解消する対象として、前記実施例においては最も広く用いられると思われるアーティスト名についてのデータ形式の統一の例について説明したが、それ以外にアルバム名、曲名等についても同様にデータ形式の統一処理を行うことができる。また、本発明は一般家庭用オーディオ装置、パソコンを利用したオーディオ装置、或いはカーオーディオ装置等の各種オーディオ装置に広く用いることができる。また、曲情報のデータベースとしてＣＤＤＢを例に挙げて説明したが、そのほかの同様の曲情報のデータベースの利用に際しても同様にして本発明を適用することができる。
【００７４】
【発明の効果】
本発明は、上記のように構成したので、ＣＤの曲をＨＤ等の他のオーディオ記録媒体に対して記録するとき、ＨＤ等のオーディオ記録媒体には統一した曲情報に変換して記録することができ、データベースの曲情報のデータ入力形式の相違に関わらず統一したデータによって管理をすることができる。そのため、従来のもののように例えば同じアーティストであるにもかかわらず複数のアーティストが存在するように表示され、管理されることを防止することができるとともに、オーディオデータを記録する際に曲情報を表示するプレーリストにおいて、同じアーティストであるにもかかわらず複数のアーティストが存在するように表示されることにより不快感を与えることもなくなる。
【図面の簡単な説明】
【図１】本発明の実施例の機能ブロック図である。
【図２】本発明においてＣＤからＨＤＤへの記録処理を行う作動フロー図である。
【図３】同実施例において、ＷｅｂのＣＤＤＢを用いた文字変換処理を行う作動フロー図である。
【図４】同実施例において、アーティスト別ホルダ作成式文字変換・記録処理を行う作動フロー図である。
【図５】同実施例において、ＣＤＤＢが得られないときのアーティスト別ホルダ作成式文字変換・記録処理を行う作動フロー図である。
【図６】同実施例において、アーティスト別ホルダ作成式文字変換処理の処理態様を示す機能ブロック図である。
【図７】統一的に記録された曲情報、及び種々の記録形式で記録され曲情報に基づくプレーリストの作成状況を示す図である。
【符号の説明】
１１  システムコントローラ
１２  ラジオ受信機
１３  ＣＤプレーヤ
１４  ＨＤＤ
１５  記録媒体（ＨＤ）
１６  出力ソース切替部
１７  オーディオ出力コントローラ
１８  スピーカ
２０  ＣＤＤＢ
２１  ＲＯＭ
２３  メモリコントローラ
２４  モニタ
２５  入力装置
２６  ＣＤ出力データ取込部
２７  オーディオデータ取込部
２８  ＭＰＥＧエンコーダ
２９  ＭＰＥＧデコーダ
３１  ＴＯＣ情報取込部
３２  ＣＤ情報取込部
３３  ＣＤＤＢ検索・読込部
３４  アーティスト名データ形式統一部
３５  データ形式統一機能選択部
３６  文字変換部
３７  アーティスト別ホルダ作成式文字変換部
３８  文字変換選択部
４０  全角ローマ字変換部
４１  半角ローマ字変換部
４３  アーティスト別ホルダ作成式文字変換部
４４  ホルダ
４５  曲上表入力部
４６  Ｗｅｂ検索部
４７  プレーリスト作成部
４９  変換用テーブル
【図１】
2005044434.tif 000003
【図２】
2005044434.tif 000004
【図３】
2005044434.tif 000005
【図４】
2005044434.tif 000006
【図５】
2005044434.tif 000007
【図６】
2005044434.tif 000008
【図７】
2005044434.tif 000009